(57)【特許請求の範囲】
【請求項１】
演奏情報に基づいて、複数の鍵盤機構または複数のアクション機構のいずれかを選択してオン／オフ駆動し、複数の弦のいずれかを発音させる複数の駆動手段と、
上記演奏情報に基づいて、電気振動を空気振動に変換して放音する音響変換手段と、を備え、
上記複数の駆動手段にわたって一律に発音量を変更制御して、この発音量の変更制御によって上記複数の駆動手段の駆動の強さまたは速さを一律に変更し、
この発音量の変更制御によって、上記発音量が所定量より小さくされて、上記駆動手段の駆動の強さが所定量より弱くされたら、または上記駆動手段の駆動の速さが所定量より遅くされたら、上記弦の発音を禁止して、上記音響変換手段を駆動して当該音響変換手段から上記演奏情報を発音させ、これ以外のときには、上記音響変換手段の駆動を停止して、上記演奏情報に基づく上記駆動手段による弦の発音を許容することを特徴とする楽音制御方法。
【請求項２】
演奏情報に基づいて、複数の鍵盤機構または複数のアクション機構のいずれかを選択してオン／オフ駆動し、複数の弦のいずれかを発音させる複数の駆動手段と、
上記演奏情報に基づいて、電気振動を空気振動に変換して放音する音響変換手段と、
上記複数の駆動手段にわたって一律に発音量を変更制御して、この発音量の変更制御によって上記複数の駆動手段の駆動の強さまたは速さを一律に変更する制御手段と、
この制御手段の発音量の変更制御によって、上記発音量が所定量より小さくされて、上記駆動手段の駆動の強さが所定量より弱くされたら、または上記駆動手段の駆動の速さが所定量より遅くされたら、上記弦の発音を禁止して、上記音響変換手段を駆動して当該音響変換手段から上記演奏情報を発音させ、これ以外のときには、上記音響変換手段の駆動を停止して、上記演奏情報に基づく上記駆動手段による弦の発音を許容する第一の切換え手段とを備えたことを特徴とする楽音制御装置。
【請求項３】
演奏情報に基づいて、複数の鍵盤機構または複数のアクション機構のいずれかを選択してオン／オフ駆動し、複数の弦のいずれかを発音させる複数の駆動手段と、
上記演奏情報に基づいて、電気振動を空気振動に変換して放音する音響変換手段と、を備え、
上記複数の駆動手段にわたって、及び上記音響変換手段において、一律に発音量を変更制御して、この発音量の変更制御によって上記複数の駆動手段の駆動の強さまたは速さを一律に変更し、この制御は、同じ操作状態において、上記駆動手段による発音量と、上記音響変換手段による発音量とがほぼ同じ音量となる制御特性であり、
この発音量の変更制御の操作によって、発音量が所定量より小さくされたら、上記駆動手段の駆動量または発音量を特定値より小さくせず、上記音響変換手段の発音量は当該特定値より小さくすることを特徴とする楽音制御方法。
【請求項４】
演奏情報に基づいて、複数の鍵盤機構または複数のアクション機構のいずれかを選択してオン／オフ駆動し、複数の弦のいずれかを発音させる複数の駆動手段と、
上記演奏情報に基づいて、電気振動を音響波形に変換して放音する音響変換手段と、
上記複数の駆動手段にわたって、及び上記音響変換手段において、一律に発音量を変更制御して、この発音量の変更制御によって上記複数の駆動手段の駆動の強さまたは速さを一律に変更する制御手段であって、この制御手段は、同じ操作状態において、上記駆動手段による発音量と、上記音響変換手段による発音量とがほぼ同じ音量となる制御特性であり、
この制御手段の発音量の変更制御の操作によって、上記発音量が所定量より小さくされたら、上記駆動手段の駆動量または発音量を特定値より小さくせず、上記音響変換手段の発音量は当該特定値より小さくする第二の切換え手段を備えたことを特徴とする楽音制御装置。
【請求項５】
上記演奏情報は、少なくとも楽音の音高情報と発音開始情報及び発音終了情報とからなり、この音高情報に応じた弦の鍵盤機構またはアクション機構を、この上記発音開始情報に応じたタイミングでオン駆動し、この発音終了情報に応じたタイミングでオフ駆動することを特徴とする請求項２または４記載の楽音制御装置。
【請求項６】
上記演奏情報は、少なくとも楽音の音高情報と発音開始情報及び発音終了情報とからなり、上記電気振動は、所定の音色情報に応じた波形であるとともに、上記音高情報に応じた周期であり、当該電気振動を、上記発音開始情報に応じたタイミングで開始し、上記発音終了情報に応じたタイミングで終了することを特徴とする請求項５記載の楽音制御装置。
【請求項７】
上記音響変換手段は、スピーカー、または上記電気振動を機械振動に変換して、接触する響板を振動させて同響板より音を放射し、自身は音を出さない加振体であることを特徴とする請求項２または４記載の楽音制御装置。
【請求項８】
上記複数の鍵盤機構または複数のアクション機構において、鍵操作の強さまたは速さを検出するタッチ検出手段と、
このタッチ検出手段での検出結果に基づいて、上記電気振動の振幅の大きさまたは高調波成分の含有量を制御するタッチ制御手段とを備えたことを特徴とする請求項２または４記載の楽音制御装置。
【請求項９】
鍵操作を許容するとともに上記複数の鍵盤機構または上記複数のアクション機構が上記弦の発音を一律に禁止する禁止機構と、
上記請求項２の第一の切換え手段の切換えによって弦の発音が禁止されるときに、または上記請求項４の第二の切換え手段の切り換えによって、上記駆動手段の駆動量または発音量が特定値より小さくされず、上記音響変換手段の発音量が当該特定値より小さくされるときに、上記禁止機構が連動作動されて、上記弦の発音を一律に禁止する禁止連動手段をさらに備えたことを特徴とする請求項２または４記載の楽音制御装置。
【請求項１０】
上記禁止機構を手動でも作動させる禁止手動機構と、
この禁止手動機構が作動されて、上記弦の発音が一律に禁止されたときも、上記音響変換手段を駆動する第三の切換え手段をさらに備えたことを特徴とする請求項９記載の楽音制御装置。
【請求項１１】
上記請求項２の第一の切換え手段の切換え状態を表示する表示手段であって、上記弦の発音が禁止されて、上記音響変換手段が駆動されるときの表示状態と、これ以外のときの、上記音響変換手段の駆動が停止されて、上記弦の発音が許容されるときの表示状態とを切換えて表示する、または  上記請求項４の第二の切換え手段の切換え状態を表示する表示手段であって、上記駆動手段の駆動量または発音量が特定値より小さくされず、上記音響変換手段の発音量が当該特定値より小さくされるときの表示状態と、これ以外のときの表示状態とを切換えて表示する表示手段をさらに備えたことを特徴とする請求項２または４記載の楽音制御装置。
【請求項１２】
上記電気振動は、上記演奏情報の上記発音開始情報に応じたタイミングより所定の時間遅れて開始し、上記発音終了情報に応じたタイミングより所定の時間遅れて終了し、この遅れる所定時間は、上記鍵
盤機構の鍵操作から上記弦発音までの時間に応じていることを特徴とする請求項６記載の楽音制御装置。
【請求項１３】
上記駆動手段の駆動は、上記演奏情報の上記発音開始情報に応じたタイミングより所定の時間遅れて開始し、上記発音終了情報に応じたタイミングより所定の時間遅れて終了し、この遅れる所定の時間は、上記複数の駆動手段にわたって一律に発音量を変更制御する制御手段の制御量に応じて変更され、  または上記演奏情報の中のタッチ情報の大きさに応じて変更されることを特徴とする請求項５記載の楽音制御装置。
【請求項１４】
上記複数の駆動手段にわたって一律に発音量を変更制御する制御手段は、上記音響変換手段の電気振動の発音量を変更する、上記駆動手段の駆動量の大きさを変更する、及び上記演奏情報の上記発音開始情報に応じたタイミングより遅れる所定の時間の大きさを変更することを特徴とする請求項２または４記載の楽音制御装置。
【請求項１５】
上記駆動手段の駆動の強さ、速さまたは発音量がより大きく変更されるときの上記切換えの所定量は、同じくより小さく変更されるときの上記切換えの所定量より大きいことを特徴とする請求項２または４記載の楽音制御装置。
【請求項１６】
上記弦の発音が禁止され上記電気振動が放音されるときでも、上記駆動手段は駆動され、上記鍵盤機構またはアクション機構はオン／オフ駆動されることを特徴とする請求項２または４記載の楽音制御装置。
【請求項１７】
上記弦の発音が禁止されるときには、上記複数の駆動手段にわたって一律に発音量を変更制御する制御手段によって、上記音響変換手段の電気振動の発音量が変更されて、上記駆動手段の駆動量の大きさは変更されず、
上記弦の発音が許容されるときには、上記複数の駆動手段にわたって一律に発音量を変更制御する制御手段によって、上記駆動手段の駆動量の大きさが変更されることを特徴とする請求項２または４記載の楽音制御装置。
【請求項１８】
上記弦の発音を禁止して、上記音響変換手段を駆動する切換えにおいて、切り換えの前後における、上記駆動手段による発音量と、上記音響変換手段による発音量とはほぼ同じ音量となることを特徴とする請求項２記載の楽音制御装置。
【発明の詳細な説明】
【技術分野】
【０００１】
本発明は、楽音制御方法及び楽音制御装置に関し、特に演奏情報に基づいて、鍵盤機構またはアクション機構をオン／オフ駆動させて弦を発音させるものに関する。
【背景技術】
【０００２】
従来、このような楽音制御装置では、複数の鍵の下に駆動手段例えばソレノイドを配置し、このソレノイドが励起されてプランジャーが動かされて鍵が操作される。この鍵操作によって、アクション機構のハンマーが弦を打って弦が発音される。
【０００３】
【特許文献１】特許第２９７１３０３号公報
【特許文献２】特開平９−１２７９４５号公報
【特許文献３】特開平９−１２７９４４号公報
【特許文献４】特開平９−１２７９３４号公報
【特許文献５】特開平９−９７０４９号公報
【特許文献６】特開平９−６８９８１号公報
【発明の開示】
【発明が解決しようとする課題】
【０００４】
このソレノイドに送り込まれる励起信号の大きさが制御されると、ハンマーが弦を打つ強さまたは速さが変化し、弦の発音量つまり音量が変化する。このソレノイドに送り込まれる励起信号の大きさを小さくすると、一部の弦では音が出ず、他の弦では音が出て、音が抜けたり、連打のような特殊な鍵操作の楽音が再現できなくなったり、音色までが変わってしまったりしていた。
【課題を解決するための手段】
【０００５】
上記課題を解決するため、本件発明では、複数の駆動手段にわたって一律に発音量を制御し、この制御によって、上記駆動手段の駆動の強さが所定量より弱くされたら、または上記駆動手段の駆動の速さが所定量より遅くされたら、弦の発音を禁止して、上記音響変換手段を駆動し、これ以外のときには、上記音響変換手段の駆動を停止して、上記弦の発音を許容するようにした。
【０００６】
また、本願発明では、  鍵操作を許容するとともに上記複数の鍵盤機構または上記複数のアクション機構が上記弦の発音を一律に禁止する禁止機構と、  上記第一の切換え手段の切換えによる弦の発音が禁止されるときに、当該第一の切換え手段とこの禁止機構とが連動作動されるように、上記弦の発音を一律に禁止する禁止連動手段をさらに備えた。
【０００７】
さらに、上記禁止機構を手動でも作動させる禁止手動機構と、この禁止手動機構が作動されて、上記弦の発音が一律に禁止されたときも、上記音響変換手段を駆動する第二の切換え手段とをさらに備えた。
【発明の効果】
【０００８】
これにより、駆動手段の駆動の強さ／速さが所定量より弱くされたら、電気振動が音響変換手段より放音されるので、一部の弦では音が出ず、他の弦では音が出て、音が抜けることがなくなり、連打のような特殊な鍵操作の音でも再現でき、音色も変わらない。
【０００９】
また、弦発音と音響変換手段による発音とが複数の鍵／弦にわたって一律に切換えられる。さらに、鍵操作によって弦発音を行なわず鍵操作によって電子発音を行なう消音ピアノと、本発明の楽音制御装置とを兼用できる。
【発明を実施するための最良の形態】
【００１０】
（１）鍵盤機構１…、アクション機構（打鍵機構）２…及びダンパー機構３…
図１は楽音制御装置／楽音装置／消音ピアノの全体を示し、図２は複数の鍵盤機構１…、複数のアクション機構（打鍵機構）２…及び複数のダンパー機構３…を示す。図２の鍵盤機構１…、アクション機構２…及びダンパー機構３…は、単一にみえるが、奥に同じ機構が鍵７…と同じ数配置されている。
【００１１】
筬６の上に配置された多数の水平方向に延びる鍵７…は揺動可能となっており、この各鍵７…の奥の上側には水平方向に延びるそれぞれウィッペン８…がセンターレール９に回動可能に支持されている。
【００１２】
ウィッペン８…の回動先端には、上方に延びるジャック１０…がさらに回動可能に取り付けられ、このジャック１０…はウィッペン８…とともに、キーオン／発音開始によって持ち上げられ、ジャック１０…の先端が回動可能なハンマーバット１１…を押し上げられる。
【００１３】
これによりハンマーバット１１…とともにハンマーシャンク１２…が奥方へ回動され、ハンマーヘッド１３…が弦１４…を叩き、弦１４…の発音が許容される。上記ハンマーシャンク１２…の手前には、内部空洞のハンマーレール１５が固定されており、このハンマーレール１５の奥面には上記ハンマーシャンク１２…が受け止められる。
【００１４】
センターレール９の上面には上下に延びるダンパーレバー２１…が回動可能に支持されるとともに、上記弦１４…方向に付勢されている。このダンパーレバー２１…の上先端にはダンパーヘッド２２…が固定され、このダンパーヘッド２２…は上記弦１４…に当接している。
【００１５】
キーオン／発音開始によってダンパーヘッド２２…は弦１４…から離れ、弦１４…の振動が許容され発音され、キーオフ／発音終了によってダンパーヘッド２２…は弦１４…に接触し、弦１４…の振動が止められ止音される。
【００１６】
上記鍵７…の奥の下側にはそれぞれソレノイド（駆動手段）２６…が配置され、このソレノイド２６…がオン／オフ駆動され、プランジャーが出／没されると、鍵７…がオン／オフ操作され、上記ハンマーヘッド１３…が上記弦１４…を打ったり離れたりして、ダンパーヘッド２２…が弦１４…から離れたり押さえたりして、弦１４…が発音／消音が許容される。
【００１７】
このソレノイド２６…は、演奏情報（自動演奏情報または手動演奏情報）の音高情報に基づいて、いずれかが選択されてオン／オフ駆動される。また、ソレノイド２６…は、演奏情報の発音開始情報に応じたタイミングでオン駆動され、演奏情報の発音終了情報に応じたタイミングでオフ駆動される。この場合、手動演奏情報は、ＭＩＤＩシステムを通じて接続された手動演奏されている他の楽器から送られてくる。
【００１８】
したがって、演奏情報の楽音の音高情報と発音開始情報及び発音終了情報に基づいて、上記複数の鍵盤機構１…、複数のアクション機構（打鍵機構）２…及び複数のダンパー機構３…のいずれかが選択されて、キーオン駆動またはキーオフ駆動され、弦１４…のいずれかが発音／消音が許容される。この発音／消音される弦１４…は、上記音高情報に応じている。
【００１９】
上記ハンマーバット１１…から手前方向にはバックストップ２３…が突設され、このバックストップ２３…の上には、複数の突起を有する板状の光シャッター３１…がそれぞれ突設されている。一方、上記ハンマーレール１５の下側にはフォトカプラ３２…が配置されている。
【００２０】
上記鍵盤機構１…及びアクション機構２…のキーオン駆動／キーオフ駆動の時に、光シャッター３１…の複数の突起がフォトカプラ３２…を順次通過して、フォトカプラ３２…からこの複数の突起の通過の間隔時間に基づいて通過速度に応じたタッチデータが取り込まれる。
【００２１】
鍵盤機構１…及びアクション機構２…が速くまたは強くオン操作／オフ操作されると、フォトカプラ３２…からのタッチデータが大きい値となり、鍵盤機構１…及びアクション機構２…が遅くまたは弱くオン操作／オフ操作されると、フォトカプラ３２…からのタッチデータが小さい値となる。
【００２２】
このようなフォトカプラ３２…及び光シャッター３１…からなるタッチ検出機構３０は、特開平９−６８９８１号明細書及び図面、特開平４−２９１３００号公報、特開平４−３７２９９４号公報などに示されている。
【００２３】
（２）楽音制御装置／楽音装置／消音ピアノの全体
図１は楽音制御装置／楽音装置／消音ピアノの全体を示す。上記フォトカプラ３２…及び光シャッター３１…からなるタッチ検出機構３０と、次述する止音機構４０（禁止機構）は楽音制御装置の内部上方に配置される。上記ソレノイド２６…の傍には鍵駆動制御装置５３が配置されていて、ソレノイドが２６…が駆動される
【００２４】
操作パネル５４には、後述する音量ボリューム６１（インクリメントスイッチ６６またはデクリメントスイッチ６７を含む。以下同じ）が設けられ、この音量ボリューム６１からの音量制御データは、電子音源装置５５に入力され、上記鍵駆動制御装置５３を通じてソレノイド２６…に送り込まれるソレノイド駆動信号の大きさが変更され、上記弦１４…を打つ強さ／速さが変更され、強く／速くされたり、弱く／遅くされたりして、弦１４…の振動量／発音量が変更される。なお、図１では省略されているが、鍵駆動制御装置５３から各ソレノイド２６…には接続線が設けられている。
【００２５】
電子音源装置５５では、上記演奏情報に基づいて、電気振動（電気信号／電気音響信号／電気波形信号／電気音響振動／電気音響波形信号等を含む。以下同じ）が生成され、この電気振動は加振体（音響変換手段）５６に送り込まれ、機械振動（機械的振動波形／機械的音響振動／音響波形／振動音響／音響振動等を含む。以下同じ）に電磁的に変換される。この加振体５６は楽音制御装置の響板に接合されており、響板ではこの機械振動が空気振動（音響波形／振動音響／音響振動／振動波形／機械的空気振動波形／機械的音響空気振動等を含む。以下同じ）となり放音される。この加振体５６は、電気振動を機械振動に変換して、接触する響板／物体を振動させて同響板／物体より音（空気振動）を放射させるもので、自身は通常音を出さない。
【００２６】
この加振体５６（電磁駆動ユニット／電磁駆動体）の構造及び取り付け構造は、特願２００７−１７６７５８号明細書及び図面、特願２００７−１５８００２号明細書及び図面、特願２００７−１２２９２１号明細書及び図面、特願２００７−１１４９５２号明細書及び図面、特願２００７−６８６３号明細書及び図面などに示されている。この加振体５６は、スピーカー、ツィータ、平板スピーカー、圧電素子スピーカー、ヘッドフォン、イヤホン等、演奏者の耳付近で発音させる機構、電気振動を電磁的または圧電的などで機械振動／空気振動に変換するものでもよく、取り付けられる数は多数でも複数でもよい。
【００２７】
上記タッチ検出機構３０のフォトカプラ３２…からタッチデータは、電子音源装置５５に送られ、上記演奏情報に基づく電気振動の振幅の大きさ、レベル、波形、高調波成分、高調波成分の含有量が変更される。この変更は、楽音制御装置が止音されて鍵７…の操作によって電子的にのみ発音される消音機能が選択されたときに行なわれる。
【００２８】
楽音制御装置の前面下部の止音ペダル４７…（禁止手動機構）、その他のペダルのオン／オフ／ハーフ状態は、止音検出スイッチ５０その他のスイッチ／センサーで検出され、この検出信号はペダル駆動制御装置５７に送られ、場合によってペダルソレノイド５８を通じて、止音、ミュート、ダンパーなど機能が達成されるように、楽音制御装置内の機構が切り換えられる。また、ペダル駆動制御装置５７から上記鍵駆動制御装置５３へも制御信号が送られ、ソレノイド駆動信号の大きさが変更される。
【００２９】
（３）止音機構４０（禁止機構）
図３、図４、図５及び図６は止音機構４０を示す。上記ハンマーシャンク１２…の奥側には、板状のハンマーストップレール４１（止音機構）が前後動可能に固定されており、このハンマーストップレール４１が前動すると、上記ハンマーヘッド１３…が弦１４…を打つ前に、ハンマーシャンク１２…がハンマーストップレール４１にあたって、弦１４…の発音が禁止／止音される。
【００３０】
このハンマーストップレール４１が後動すると、上記ハンマーヘッド１３…の弦１４…への打ち／打弦が許容され弦１４…の発音が許容される。なお、上記センターレール９、上記ハンマーレール１５及びハンマーストップレール４１はピアノ（楽音制御装置／楽音装置）内のアクションブラケット（図示せず）の間に架け渡されている。
【００３１】
このハンマーストップレール４１の楽音制御装置内の端には、側方へ突出する電動レバー４２が連結固定されている。この電動レバー４２の先端にはギア歯４３が形成され、このギア歯４３にはモーター４４のシャフトのウォ−ムギア４５が噛み合っている。
【００３２】
図４（ｂ）に示すように、モーター４４が正回転されると、電動レバー４２が下動され、ハンマーストップレール４１が前動されて、ハンマーヘッド１３…が弦１４…を打つのを禁止され、弦１４…の発音が禁止／止音される。図４（ａ）に示すように、モーター４４が逆回転されると、電動レバー４２が上動され、ハンマーストップレール４１が後動されて、ハンマーヘッド１３…が弦１４…を打つのが許容され、弦１４…の発音が許容される。
【００３３】
図６に示すように、上記ハンマーストップレール４１の他の端には、側方へ突出する手動レバー４６が連結固定されている。楽音制御装置の前面中央下部の止音ペダル４７（またはミュートペダルなど）は基端で軸支され、この止音ペダル４７の中央と上記手動レバー４６の先端とはワイヤー４８及びコイルバネ４９とで繋がれている。
【００３４】
コイルバネ４９は止音ペダル４７と手動レバー４６とを接近させるように付勢している。止音ペダル４７の中央下には止音検出スイッチ５０が設置され、止音ペダル４７の押下げが検出される。止音ペダル４７の中央下にもコイルバネ５９が取り付けられ、止音ペダル４７が上方へ付勢される。
【００３５】
図４（ｂ）に示すように、止音ペダル４７が押下げられると、ハンマーストップレール４１が前動されて、全鍵７…のオン操作／オフ操作が許容されるにもかかわらず、全ハンマーヘッド１３…が全弦１４…を打つのを一律に禁止され、全弦１４…の発音が一律に禁止／止音される。図４（ａ）に示すように、止音ペダル４７が上方へ復帰されると、ハンマーストップレール４１が後動されて、全鍵７…のオン操作によって、全ハンマーヘッド１３…が全弦１４…を打つのが一律に許容され、弦１４…の発音が一律に許容される。
【００３６】
上記図４（ｂ）に示す、弦１４…の発音が禁止／止音されるときでも、図２のソレノイド２６…は駆動されており、鍵盤機構１…、アクション機構２…、タッチ検出機構３０…、ハンマーヘッド１３などはオン／オフ駆動されている。ハンマーストップレール４１によって、ハンマーヘッド１３が弦１４を打つのが禁止されるのみである。これにより、弦１４…が発音されないときでも、鍵盤機構１…またはアクション機構２…はオン／オフ駆動されて、電気振動が放音されるので、鍵盤機構１…またはアクション機構２…の駆動によって発音されているように見せることができる。
【００３７】
図５は止音機構４０（禁止機構）の第二実施例を示す。上記電動レバー４２の先端は、モーター５１のシャフトの先端から側方に固定突出したリンク５２の先端に、折曲り伸縮可能にクランク・リンク連結されている。モーター５１の回転量はステップモーター、サーボモーターなどで正逆回転角度／正逆回転量が規制されている。
【００３８】
（４）操作パネル５４の音量ボリューム６１
図７は上記操作パネル５４の音量ボリューム６１を示す。この音量ボリューム６１が操作されると、上記ソレノイド（駆動手段）２６…に送られるソレノイド駆動信号の大きさ／レベル／振幅が変更され、音量ボリューム６１がインクリメントされるとソレノイド駆動信号が大きくされ、音量ボリューム６１がデクリメントされるとソレノイド駆動信号が小さくされる。
【００３９】
つまり、上記全部の複数のソレノイド２６…にわたって一律に発音量が制御される。すなわち、同じ演奏情報（レベル情報、タッチ情報）が発生されても、この音量ボリューム６１は、全ソレノイド２６…の駆動の強さを強くしたり弱くしたり制御する、またはこの全ソレノイド２６…の駆動の速さを速くしたり遅くしたり制御する。
【００４０】
音量ボリューム６１の音量データが下所定値Ｖｄ未満にされると、モーター４４、５１が正回転され、ハンマーストップレール４１が前動されて、弦１４…の発音が禁止される。そして、代わりに加振体５６へ、上記演奏情報に基づく電気振動が送られ、楽音制御装置の響板から楽音が放音される。以下この状態を「電子ピアノ」状態／モードという。この場合、上記ソレノイド２６…へソレノイド駆動信号が送信されず／送信が禁止され、ソレノイド２６…が駆動されなく／駆動が禁止されてもよい。
【００４１】
また、音量ボリューム６１の音量データが上所定値Ｖｕを越えると、モーター４４、５１が逆回転され、ハンマーストップレール４１が後動されて、弦１４…の発音が許容される。そして、代わりに加振体５６への上記電気振動の送信が禁止され、楽音制御装置の響板からの放音が禁止される。以下この状態を「生ピアノ」状態／モードという。この場合、上記禁止が解除されて、上記ソレノイド２６…へソレノイド駆動信号が送信され／送信が許容され、ソレノイド２６…が駆動され／駆動が許容されてもよい。
【００４２】
音量ボリューム６１の上記所定値Ｖｄ、Ｖｕに対応した箇所、つまり「電子ピアノ」状態／モードと「生ピアノ」状態／モードとの切り換りの境界には、チェンジマーク６２が明示／表記／表示されている。この音量ボリューム６１の「電子ピアノ」状態／モード側にはモードＬＥＤ６３が設けられ、音量ボリューム６１が回されて、「電子ピアノ」状態／モードに切り換ったときに点灯される。
【００４３】
なおこのモードＬＥＤ６３は、「生ピアノ」状態／モード側に設けられてもよいし、両状態／モード側に設けられてもよい。この両状態／モード側に設けられるときには、２つのモードＬＥＤ６３の色が異なるなど、表示状態が切換えられてもよい。
【００４４】
図８は上記音量ボリューム６１の第二実施例を示す。この実施例では、音量をインクリメントするインクリメントスイッチ６６と音量をデクリメントするデクリメントスイッチ６７と、これらのスイッチ６６と６７との間に一列に配置された複数例えば６個または８個のインジケータ（ＬＥＤ）６８…、６９…とからなっている。
【００４５】
インジケータ６８…、６９…は、複数のいずれか一つが点灯され、インクリメントスイッチ６６を繰り返し押すと、点灯箇所が右に移動し、音量データが大きくされ、デクリメントスイッチ６７を繰り返し押すと、点灯箇所が左に移動し、音量データが小さくされる。
【００４６】
音量データが大きくされて上所定値Ｖｕを越えると、インジケータ６８…側が点灯され、上記「生ピアノ」状態／モードとなる。音量データが小さくされて下所定値Ｖｄにされると、インジケータ６９…側が点灯され、上記「電子ピアノ」状態／モードとなる。
【００４７】
インジケータ６８…、６９…のうち、インクリメントスイッチ６６側のインジケータ６８…の色とデクリメントスイッチ６７側のインジケータ６９…の色とは異なっている。「電子ピアノ」状態／モードと「生ピアノ」状態／モードとの切り換りの境界には、チェンジマーク６２が明示／表記／表示されている。
【００４８】
以上のように、モードＬＥＤ６３、インジケータ６８…、６９…は、上記「電子ピアノ」状態／モードの表示状態と上記「生ピアノ」状態／モードの表示状態とは異なる。この場合、表示色の違いのほか、点滅と点灯の違い、液晶ディスプレイで文字、記号、図形などで上記両モードの違いを表示する、両モードを表す文字、記号に近接した２つのＬＥＤのいずれかの点灯などで、表示状態が切換えられてもよい。
【００４９】
これにより、モードＬＥＤ６３、インジケータ６８…、６９…は、上記弦１４…の発音が禁止されて、上記加振体（電磁変換手段）５６を駆動させるときの表示状態と、これ以外のときの、上記加振体（電磁変換手段）５６の駆動を停止させて、上記弦１４…の発音が許容されるときの表示状態とを切換えて表示することになる。
【００５０】
（５）電子音源装置５５の全体回路７０
図９は、上記電子音源装置５５の全体回路７０、楽音制御方法を実現する全体回路、楽音制御方法のためのコンピュータプログラムを実行する全体回路、楽音制御装置、楽音装置または電子楽器などの全体回路７０を示す。
【００５１】
上述の音量ボリューム６１、スイッチ６６…、６７…、止音検出スイッチ５０、ペダルセンサは、スイッチスキャン回路７１でスキャンされ、操作量、オン／オフがコントローラ（ＣＰＵ）７２によって検出される。上記フォトカプラ３２…などのタッチ検出機構３０はタッチスキャン回路７３でスキャンされ、コントローラ７２によってタッチデータが検出される。
【００５２】
上記ソレノイド２６…、モーター４４、５１、ペダルソレノイド５８は、コントローラ７２によって、駆動ドライバ７４を通じて駆動される。この駆動ドライバ７４には、上述の鍵駆動制御装置５３、ペダル駆動制御装置５７が含まれる。上記モードＬＥＤ６３、インジケータ６８…、６９…は、コントローラ７２によって、表示ドライバ７５を通じて表示制御される。
【００５３】
この駆動ドライバ７４には上記演奏情報及び音量ボリューム６１からの音量データが送られてストアされ、演奏情報の音高情報に応じた鍵駆動制御装置５３及びソレノイド２６…が、演奏情報のタッチ情報及び音量ボリューム６１の音量データに応じた大きさ／駆動量で駆動される。
【００５４】
プログラム／データ記憶部７６には、上記演奏情報、楽音波形信号などが記憶され、場合によってミディ回路７８から送られてきた、演奏情報、楽音波形信号が書き込まれる。このプログラム／データ記憶部７６の演奏情報、楽音波形信号は、情報記憶部７７に直接またはバスラインを介してコピーされて、他の装置に組み込まれ、トーンジェネレータ８０に転送される。
【００５５】
プログラム／データ記憶部７６（内部記憶媒体／手段）はＲＯＭまたは書き込み可能なＲＡＭ、フラッシュメモリまたはＥＥＰＲＯＭ等の記憶装置からなり、光ディスクまたは磁気ディスク等の着脱自在な情報記憶部７７（外部記憶媒体／手段）に記憶されるコンピュータのプログラムが書き写され記憶される（インストール／転送される）。
【００５６】
またプログラム／データ記憶部７６には外部の電子楽器またはコンピュータから上記ミディ回路７８または送受信装置を介して送信されるプログラムも記憶される（インストール／転送される）。このプログラムの記憶媒体は通信媒体も含む。
【００５７】
ミディ（ＭＩＤＩ）回路７８は、外部接続された電子楽器、機器との間で演奏情報や楽音波形信号の送受を行うためのインターフェースである。この演奏情報はＭＩＤＩ（ミュージカルインスツルメントデジタルインターフェース）規格のもので、この演奏情報に基づいた発音も行われる。
【００５８】
演奏情報の中の音楽的ファクタ情報は、コントローラ７２へ送られ、各種信号、データ、パラメータの切り換えが行われ、楽音の内容が決定される。音楽的ファクタ情報、演奏情報（楽音発生情報）及び楽音制御情報はコントローラ７２で処理され、各種データがトーンジェネレータ８０へ送られ、楽音波形信号がサウンドシステム７９を通じて加振体５６で発音される。
【００５９】
上記演奏情報は、少なくとも楽音の音高情報／音高データ、発音開始情報／ステップタイムデータ及び発音終了情報／ゲートタイムデータとからなり、所定の音色情報に応じた波形で、上記音高情報に応じた周期で、上記電気振動が、上記発音開始情報に応じたタイミングで開始され、上記発音終了情報に応じたタイミングで終了される。
【００６０】
コントローラ７２はＣＰＵ、ＤＳＰ（デジタルシグナルプロセッサ）、ＲＯＭ及び／またはＲＡＭなどからなっている。このようなコントローラ７２は、図９の回路ごとに分散されて設けられてもよい。
【００６１】
上記演奏情報（楽音発生情報）の音楽的ファクタ（因子）情報は、音高（音域／鍵域）情報（音高決定因子）、音色情報、タッチ情報（タッチデータ）、発音時間情報、演奏分野情報、発音数情報、共鳴度情報などである。発音時間情報は楽音の発音開始からの経過時間を示す。上記楽音波形信号の波形は、上述の音色、タッチ、音高（音域／鍵域）、発音時間、演奏分野、発音数、共鳴度などの情報によって、切り換えられ変化される。
【００６２】
（６）楽音制御処理
図１０及び図１１は上記コントローラ（ＣＰＵ）７２によって実行される楽音制御処理のフローチャートを示す。この楽音制御処理は、本楽音制御装置の電源オンによって開始され、電源オフまで繰り返し実行される。まず、プログラム／データ記憶部７６の初期化など種々のイニシャライズ処理が行われる（ステップ０１）。
【００６３】
次いで、操作パネル５４のモードスイッチ（図示せず）で、自動演奏モードが選択されているとき（ステップ０２）、音量ボリューム６１若しくはインクリメントスイッチ６６またはデクリメントスイッチ６７が操作されると（ステップ０３）、インジケータ６８…、６９…の表示が変更される（ステップ０４）。
【００６４】
新たに検出された音量データが旧音量データより小さく下所定値Ｖｄ未満になると（ステップ０５）、モードＬＥＤ６３の表示が変更される（ステップ０６）。次いで、電子ピアノモード処理がなされ（ステップ０７）、新音量データが鍵駆動制御装置５３、トーンジェネレータ８０及びプログラム／データ記憶部７６に書込まれて、音量が変更される（ステップ０８）。この新音量データが次に上記旧音量データになる。
【００６５】
電子ピアノモード処理では、駆動ドライバ７４を通じて、モーター４４、５１が正回転／順回転され、ハンマーストップレール４１が前動して、ハンマーヘッド１３…が弦１４…を打つことが禁止され、弦１４…の発音が禁止される。この場合、ソレノイド２６…の駆動が禁止されてもよい。
【００６６】
同時に、プログラム／データ記憶部７６から読み出された演奏情報の音高情報／音高データ、音色情報／音色データ、タッチ情報／タッチデータ、発音開始情報／ステップタイムデータ、発音終了情報／ゲートタイムデータなどがトーンジェネレータ８０へ送り込まれ、サウンドシステム７９の加振体５６が駆動され響板から楽音が放音され、またはヘッドフォンから楽音が放音される。
【００６７】
この時、発音開始情報／ステップタイムデータには、所定の遅延時間データが加算／付加されて遅延される。この加算／付加される所定の遅延時間データは、鍵盤機構１の鍵操作から上記弦１４…の発音までの時間に応じている。このように発音開始情報／ステップタイムデータに遅延時間データが加算／付加されると、発音終了タイミングも同じ時間遅延される。
【００６８】
またこの時、トーンジェネレータ８０で生成される電気振動の振幅の大きさ、レベルが上記演奏情報の中のタッチ情報に応じて決定されると共に、上記音量データに基づいて変更される。これにより、音量が小さくされたとき、弦１４…の発音が禁止され、ソレノイド２６…の駆動が不安定にならず、一部の弦１４…では音が出ず、他の弦１４…では音が出て、音が抜けることがなくなり、連打のような特殊な鍵操作の音でも再現でき、音色も変わらない。
【００６９】
また、音量ボリューム６１で音量が下所定値Ｖｄ未満に小さくされて、止音機構（禁止機構）４０が、上記鍵盤機構１、アクション機構（打鍵機構）２が上記弦１４…を発音させるのが禁止／停止され、音量ボリューム６１と止音機構（禁止機構）４０とが連動作動されて、上記ステップ０７の処理は禁止連動手段となる。
【００７０】
このステップ０７の弦１４…の発音が禁止／止音されるときでも、図２のソレノイド２６…は駆動されており、鍵盤機構１…、アクション機構２…、タッチ検出機構３０…、ハンマーヘッド１３などはオン／オフ駆動されている。ハンマーストップレール４１によって、ハンマーヘッド１３が弦１４を打つのが禁止されるのみである。
【００７１】
これにより、弦１４…が発音されないときでも、鍵盤機構１…またはアクション機構２…はオン／オフ駆動されて、電気振動が放音されるので、鍵盤機構１…またはアクション機構２…の駆動によって発音されているように見せることができる。
【００７２】
上記ステップ０８における、変更された新音量データは、駆動ドライバ７４には送られず、駆動ドライバ７４には一定値の音量データ例えばピアニッシモまたはピアノ、その他の強さに応じた音量データがストアされる。したがって、弦１４…の発音の禁止／止音時のソレノイド２６…の駆動量は変化せず一定である。しかし、この変更された新音量データは、駆動ドライバ７４に送られてストアされ、鍵駆動制御装置５３によってこの音量データに応じた大きさでソレノイド２６…が駆動されてもよい。
【００７３】
これにより、実際に放音される電気振動の音量に応じた大きさで鍵盤機構１…またはアクション機構２…が駆動され、この鍵盤機構１…またはアクション機構２…の駆動量の大きさに応じた音量で発音されているように見せることができる。この場合、ソレノイド２６…（駆動手段）の駆動が禁止／停止されてもよい。
【００７４】
さらに、新たに検出された音量データが旧音量データより大きく上所定値Ｖｕを越えると（ステップ１５）、モードＬＥＤ６３の表示が変更される（ステップ１６）。次いで、生ピアノモード処理がなされ（ステップ１７）、新音量データが鍵駆動制御装置５３、トーンジェネレータ８０及びプログラム／データ記憶部７６に書込まれ、音量が変更される（ステップ１８）。この新音量データが次に上記旧音量データになる。
【００７５】
生ピアノモード処理では、駆動ドライバ７４を通じて、モーター４４、５１が逆回転され、ハンマーストップレール４１が後動して、ハンマーヘッド１３…が弦１４…を打つことが許容され、ソレノイド２６…の駆動が許容され、弦１４…の発音が許容される。この時、鍵駆動制御装置５３で生成されるソレノイド駆動信号の振幅の大きさ、レベルが上記音量データに基づいて変更される。
【００７６】
同時に、プログラム／データ記憶部７６から読み出された演奏情報の音高情報、音色情報、タッチ情報などがトーンジェネレータ８０へ送り込まれるのが禁止され、加振体５６が駆動されず、響板またはヘッドフォンから楽音が放音されなくなる。この時、トーンジェネレータ８０で生成される電気振動の振幅の大きさ、レベルが上記音量データに基づいて変更される。
【００７７】
これにより、音量が大きくされたとき、弦…の発音が許容され、ソレノイド２６…の駆動が安定し、全ての弦１４…で音が出て、音が抜けることがなくなり、連打のような特殊な鍵操作の音でも再現でき、音色も変わらない。
【００７８】
上記演奏情報のステップタイムデータに応じた時間が経過して発音開始タイミングになると、ソレノイド２６…がオン駆動され、ハンマーヘッド１３…が弦１４…を打ち、弦１４…が発音される。演奏情報のゲートタイムデータに応じた時間が経過して発音終了タイミングになると、ソレノイド２６…の駆動がオフされ、ダンパーヘッド２２…が弦１４…を押さえ、弦１４…が消音される。
【００７９】
このステップ１７及び１８の弦１４…の発音が許容されるときでも、図２のソレノイド２６…は駆動され、鍵盤機構１…、アクション機構２…、タッチ検出機構３０…、ハンマーヘッド１３などはオン／オフ駆動されている。ハンマーストップレール４１は後動されて、ハンマーヘッド１３が弦１４を打つのが許容される。
【００８０】
上記ステップ１８における、変更された新音量データは、駆動ドライバ７４に送られストアされる。したがって、弦１４…の発音の許容時のソレノイド２６…の駆動量は上記演奏情報の中のタッチ情報に応じて決定されると共に、この音量データに基づいて変更される。これにより、上記演奏情報のタッチ情報及び音量ボリューム６１で変更された音量データに応じた大きさ／駆動量でソレノイド２６…が駆動され、同じく弦１４…の打弦量及び音量が形成される。
【００８１】
以上のように、音量ボリューム６１で電気振動の音量が制御されたり、ソレノイド２６…の駆動量が制御されたりすることが、切り換えられる。なお、弦１４…の発音が禁止されるとき、駆動ドライバ７４には一定値の音量データが送られると、音量ボリューム６１で電気振動の音量が制御されるが、ソレノイド２６…の駆動量は制御されないことになる。しかし、弦１４…の発音が許容されるとき、上記ステップ１８のソレノイド２６…が上記演奏情報に基づいて駆動される場合には、ソレノイド２６…の駆動量及び弦１４…の音量が音量ボリューム６１によって制御される。
【００８２】
上記上所定値Ｖｕは下所定値Ｖｄより大きい。これは、上記ソレノイド２６…にヒステリシス特性があるため、音量データが大きく変更されるときと、小さく変更されるときとで、ソレノイド２６…の駆動が不安定になるポイントがずれるためである。上所定値Ｖｕは下所定値Ｖｄとの差は、ソレノイド２６…にヒステリシス特性が大きいほど大きくされ、小さいほど小さくされる。
【００８３】
なお、上所定値Ｖｕは場合によって下所定値Ｖｄに一致させてもよいし、下所定値Ｖｄは場合によって上所定値Ｖｕに一致させてもよいし、この上所定値Ｖｕは場合によって下所定値Ｖｄと同じ値でもよい。
【００８４】
上記ハンマーストップレール４１が下がると、図６の手動レバー４６も下動するが、コイルバネ４９が緩んで縮むので、ワイヤー４８は動かず、止音ペダル４７が押されることはなく、止音検出スイッチ５０がオンされることはない。
【００８５】
また、止音ペダル４７が演奏者によって押されて、止音検出スイッチ５０のオンが、スイッチスキャン回路７１で検出されると（ステップ２１）、止音手動演奏モードが設定され（ステップ２２）、ハンマーストップレール４１が前動して、ハンマーヘッド１３…が弦１４…を打つのが禁止され、止音手動演奏モード処理がなされる（ステップ２３）。
【００８６】
この止音手動演奏モード処理では、鍵７…がオン操作／オフ操作されると、光シャッター３１…がフォトカプラ３２…を通過して、タッチ検出機構３０からコントローラ７２によって、タッチ情報／タッチデータ、音高情報／音高データなどが検出され、トーンジェネレータ８０へ送り込まれる。このような光シャッター３１…がフォトカプラ３２…などによって検出される情報／データも、上記演奏情報に含まれる。
【００８７】
これにより、ヘッドフォン（図示せず）から楽音が放音され、場合によって加振体５６が駆動され響板から楽音が放音される。この時、トーンジェネレータ８０で生成される電気振動の振幅の大きさ、レベルが上記音量データに基づいて変更されてもよい。
【００８８】
この結果、止音機構４０が止音検出スイッチ５０（禁止手動機構）によって、手動でも作動されることになる。この止音検出スイッチ５０が作動されて、上記弦１４…の発音が禁止されたときも、上記ヘッドフォンまたは加振体（電磁変換手段）５６が駆動されることになる。
【００８９】
しかも、このときのタッチは、上記演奏情報の中のタッチ情報ではなく、実際に駆動されたアクション機構２のタッチに基づき、このタッチに応じてトーンジェネレータ８０及びサウンドシステム７９から発音される。この発音される楽音は手動演奏のほか、上記演奏情報に基づいてソレノイド２６…が駆動される自動演奏もある。
【００９０】
なお、上記タッチは、タッチ検出機構３０で検出されたタッチではなく、上記演奏情報の中のタッチ情報が使われてもよい。この場合には、演奏情報の中のタッチ情報が、トーンジェネレータ８０へ送り込まれる。
【００９１】
この時、上記音高データのトーンジェネレータ８０へ送り込みには、所定の遅延時間分遅延される。この遅延される所定の遅延時間データは、鍵盤機構１の鍵操作から上記弦１４…の発音までの時間に応じている。このように発音開始タイミングが遅延されると、発音終了タイミングも同じ時間遅延される。
【００９２】
上記上所定値Ｖｕ及び下所定値Ｖｄにおいて、電子ピアノモードにおける音量と生ピアノモードにおける音量とはほぼ同じ特性にされている。このほぼ同じ特性とは、電子ピアノモードでも生ピアノモードでも、…、ピアニッシモ、ピアノ、メゾピアノ、スタンダード、メゾフォルテ、フォルテ、フォルテッシモ、…において同じ音量となる特性である。この同じ特性は後述する（９）音量ボリューム６１の入力特性（第二実施例）に詳述してある。
【００９３】
これにより、音量ボリューム６１を操作して、入力される音量データが上所定値Ｖｕ及び下所定値Ｖｄを超えて、電子ピアノモードと生ピアノモードとで切り換えられるとき、音量が変わってしまうことがなくなり、電子ピアノモードと生ピアノモードとで同じ音量特性で制御操作及び切り換え操作ができる。
【００９４】
次いで、止音ペダル４７が演奏者によって開放されて、止音検出スイッチ５０のオフが、スイッチスキャン回路７１で検出されると（ステップ２６）、通常手動演奏モードが設定され（ステップ２７）、ハンマーストップレール４１が後動して、ハンマーヘッド１３…が弦１４…を打つのが許容され、通常手動演奏モード処理がなされる（ステップ２８）。この後その他の処理が実行されて、処理は上記ステップ０２に戻る。
【００９５】
通常手動演奏モード処理では、鍵７…がオン操作されると、ハンマーヘッド１３…が弦１４…を打ち、弦１４…が発音される。鍵７…がオフ操作されると、ダンパーヘッド２２…が弦１４…を押さえ、弦１４…が消音される。
【００９６】
上記ステップ２３の止音手動演奏モード処理では、上記ソレノイド２６…が上記演奏情報に基づいて駆動され、この演奏情報に基づいてトーンジェネレータ８０から電気振動が出力されてもよい。このとき、鍵盤機構１…、アクション機構２…、タッチ検出機構３０…、ハンマーヘッド１３などは、上記演奏情報に基づいて上記一定の音量データで自動的にオン／オフ駆動され、ハンマーストップレール４１によって、ハンマーヘッド１３が弦１４を打つのが禁止されている。
【００９７】
これにより、弦１４…が発音されないときでも、鍵盤機構１…またはアクション機構２…は自動的にオン／オフ駆動されて、電気振動が放音されるので、鍵盤機構１…またはアクション機構２…の駆動によって発音されているように見せることができる。ここで、駆動ドライバ７４には一定値の音量データ例えばピアニッシモまたはピアノ、その他の強さに応じた音量データがストアされてもよい。この場合には、弦１４…の発音の禁止／止音時のソレノイド２６…の駆動量は変化せず一定である。
【００９８】
上記ステップ２８の通常手動演奏モード処理では、上記ソレノイド２６…が上記演奏情報に基づいて駆動される。このとき、鍵盤機構１…、アクション機構２…、タッチ検出機構３０…、ハンマーヘッド１３などは自動的にオン／オフ駆動され、ハンマーヘッド１３が弦１４を打つのが許容されている。これにより、鍵盤機構１…またはアクション機構２…は自動的にオン／オフ駆動されて、弦１４…が発音される。
【００９９】
以上のような場合でも、音量ボリューム６１で電気振動の音量が制御されたり、ソレノイド２６…の駆動量が制御されたりする。ここで、上記ステップ２３の止音手動演奏モード処理での駆動ドライバ７４に一定値の音量データが送られる場合であって、弦１４…の発音が禁止されるとき、音量ボリューム６１で電気振動の音量が制御されるが、ソレノイド２６…の駆動量は制御されないことになる。しかし、弦１４…の発音が許容されるとき、すなわち上記ステップ２８の通常手動演奏モード処理で、ソレノイド２６…が上記演奏情報に基づいて駆動される場合には、ソレノイド２６…の駆動量及び弦１４…の音量が音量ボリューム６１によって制御される。
【０１００】
（７）鍵駆動制御装置５３及びソレノイド２６
図１２は鍵駆動制御装置５３及びソレノイド２６の回路構成を示す。この図１２は１つの鍵７に設けられる回路であり、この図１２の回路は全鍵７…ごとに設けられている。上記ソレノイド２６…にはダイオード９１が並列に接続され、このダイオード９１のカソード（−）側は、抵抗９２を介してプラスの定電圧源９３に接続されている。このダイオード９１のアノード（＋）側は、ＮＰＮ型のトランジスタ９４のコレクタに接続されており、このトランジスタ９４のエミッタはアースされている。
【０１０１】
上記トランジスタ９４のベースにはディレイ回路９５、１１５を通じてプラグラマブルなワンパルス発生回路９６、１１６が接続されている。ワンパルス発生回路９６、１１６はフリップフロップ回路などと電圧可変回路などとからなり、出力されるパルス信号の長さと振幅（電圧）とが可変となっている。
【０１０２】
このワンパルス発生回路９６、１１６には、パルス幅高さレジスタ９８、１１８からのデータが入力され、このパルス幅高さレジスタ９８、１１８にはパルス幅と高さとを決定するパルス幅・高さデータがストアされ、このパルス幅・高さデータが上記ワンパルス発生回路９６、１１６（フリップフロップ回路）に送られて、出力されるワンパルス信号の長さと振幅（電圧）とが決定変更される。
【０１０３】
ワンパルス信号の長さはフリップフロップ回路のセットからリセットまでの時間長であり、このセットからリセットまではタイムカウンタなどによって計時され、このタイムカウントのオーバーフロー信号が、このリセット信号となる。セット信号は、上記演奏情報の中からキーオンが読み出されたとき、または発生されたときに発生される。
【０１０４】
上記ディレイ回路９５、１１５はＦＩＦＯバッファまたはＢＢＤなどからなっており、ワンパルス発生回路９６、１１６からのワンパルス信号が遅延されて出力される。このディレイ回路９５、１１５にはディレイレジスタ９７、１１７からのデータが入力され、このディレイレジスタ９７、１１７にはディレイ回路９５、１１５のディレイ時間／ディレイ量を決定するパルスディレイデータがストアされ、このパルスディレイデータが上記ディレイ回路９５、１１５に送られて、上記ワンパルス信号の遅延量が決定変更される。
【０１０５】
上記二組の回路群のうち、ディレイ回路９５、ワンパルス発生回路９６、ディレイレジスタ９７、パルス幅高さレジスタ９８には、アタックレベルＡＬ及びアタックタイムＡＴに応じたパルス幅高さデータがストアされ、さらにディレイタイムＤＴに応じたパルスディレイデータがストアされる。これにより、ディレイ回路９５から図１３の前半のアタック部分に相当したワンパルス信号が出力される。
【０１０６】
また、上記二組の回路群のうち、ディレイ回路１１５、ワンパルス発生回路１１６、ディレイレジスタ１１７、パルス幅高さレジスタ１１８には、サスティーンレベルＳＬに応じたパルス幅高さデータがストアされ、さらにディレイタイムＤＴまたはディレイタイムＤＴ＋アタックタイムＡＴに応じたパルスディレイデータがストアされる。これにより、ディレイ回路１１５から図１３の後半のサスティーン部分に相当したワンパルス信号が出力される。
【０１０７】
これらの二つのワンパルス信号は、図１３に信号のように合成（論理和）されて、上記トランジスタ９４のベースに送られる。ここで、サスティーン部分に相当したワンパルス信号のパルス幅に応じたデータは、上記演奏情報の中からキーオフが読み出されたとき。または発生されたときに、当該ワンパルス信号を終了させる信号が上記ワンパルス信号（フリップフロップ回路）に送り込まれて、パルス幅が係合一定される。
【０１０８】
なお、上記の回路において、パルス幅高さレジスタ９８にアタックレベルＡＬ及びアタックタイムＡＴに応じたパルス幅高さデータがストアされたのち、タイムカウント処理によってアタックタイムＡＴ経過後にサスティーンレベルＳＬに応じたパルス幅高さデータがストアされてもよい。
【０１０９】
またなお、上記ディレイ回路９５、１１５とトランジスタ９４との間にＰＷＭジェネレータが介在されてもよい。このＰＷＭジェネレータからは、入力値に応じたデューティ比のパルス列が発生される。
【０１１０】
（８）ソレノイド２６…の駆動信号
図１３はソレノイド２６…の駆動信号を示す。上記音量ボリューム６１、インクリメントスイッチ６６、デクリメントスイッチ６７が操作されて、変更された新音量データは、駆動ドライバ７４に送られてストアされ、鍵駆動制御装置５３によってこの音量データに応じた大きさでソレノイド２６…が駆動される。
【０１１１】
音量が一律に大きくされると、ソレノイド２６…の駆動信号の先頭のアタック部分のレベル／振幅が大きくなり、音量が一律に小さくされると、ソレノイド２６…の駆動信号の先頭のアタック部分のレベル／振幅が小さくなる。ソレノイド２６…の駆動信号の中央から末尾のサスティーン部分は変化しない。
【０１１２】
この駆動信号の先頭のアタック部分のレベル／振幅が、下所定値Ｖｄに応じたレベル／振幅未満になると、上記電子ピアノモード／状態にされる。この駆動信号の先頭のアタック部分のレベル／振幅が、上所定値Ｖｕに応じたレベル／振幅を越えると、上記生ピアノモード／状態にされる。
【０１１３】
このようなソレノイド２６…の駆動信号レベル／振幅が制御されると、複数のソレノイド２６…（駆動手段）にわたって一律に発音量が制御されるほか、複数の弦１４…、複数の鍵盤機構１…、複数のアクション機構２…にわたって一律に発音量／音量／タッチが制御されることになる。
【０１１４】
この図１３の駆動信号は上述の先頭のアタック部分とこれに繋がるサスティーン部分とに分けられる。そして、このアタックの高さ（振幅）はアタックレベルＡＬ、アタックの長さはアタックタイムＡＴ、サスティーンの高さ（振幅）はサスティーンレベルＳＬと呼ばれる。サスティーンの長さは、キーオフ／離鍵のタイミングまでとなる。そして、キーオンタイミングから上記アタックの先頭までの時間はディレイタイムＤＴと呼ばれる。このディレイタイムＤＴの分だけ上記サスティーンの長さも遅れる。
【０１１５】
図１３の駆動信号のレベルはフォルテとピアノの中間の普通の強さの時のものである。したがって、ソレノイド２６…に送られる演奏情報のタッチデータが、…、フォルッテシモ、フォルテ、メゾフォルテ、メゾピアノ、ピアノ、ピアニッシモ、…と変化すれば、上記音量データが変化しなくても、図１３の駆動信号のレベルは変化する。
【０１１６】
なお、ソレノイド２６…の駆動信号の中央から末尾のサスティーン部分は変化してもよい。この場合、この駆動信号の先頭のアタック部分が、上所定値Ｖｕまたは下所定値Ｖｄに応じたレベル／振幅を未満／越えたときに、上記モード／状態が切換えられる。しかし、この駆動信号の中央のサスティーン部分が、上所定値Ｖｕまたは下所定値Ｖｄに応じたレベル／振幅を未満／越えたときに、上記モード／状態が切換えられてもよい。
【０１１７】
また、駆動信号の中央のサスティーン部分が、上所定値Ｖｕに応じたレベル／振幅を越えたときに、上記生ピアノモード／状態に切換えられ、駆動信号の先頭のアタック部分が下所定値Ｖｄに応じたレベル／振幅未満になったときに、上記電子ピアノモード／状態に切換えられてもよい。
【０１１８】
さらに、駆動信号の先頭のアタック部分が、上所定値Ｖｕに応じたレベル／振幅を越えたときに、上記生ピアノモード／状態に切換えられ、駆動信号の中央のサスティーン部分が下所定値Ｖｄに応じたレベル／振幅未満になったときに、上記電子ピアノモード／状態に切換えられてもよい。
【０１１９】
またさらに、駆動信号の中央のサスティーン部分が、下所定値Ｖｄに応じたレベル／振幅を越えたときに、上記生ピアノモード／状態に切換えられ、駆動信号の先頭のアタック部分が上所定値Ｖｕに応じたレベル／振幅未満になったときに、上記電子ピアノモード／状態に切換えられてもよい。
【０１２０】
さらにまた、駆動信号の先頭のアタック部分が、下所定値Ｖｄに応じたレベル／振幅を越えたときに、上記生ピアノモード／状態に切換えられ、駆動信号の中央のサスティーン部分が上所定値Ｖｕに応じたレベル／振幅未満になったときに、上記電子ピアノモード／状態に切換えられてもよい。
【０１２１】
（９）ソレノイド２６…の駆動信号の決定因子（パルス幅・高さデータ）
図１４〜図１７は、上記ソレノイド２６…駆動信号のアタックレベルＡＬ、アタックタイムＡＴ、サスティーンレベルＳＬ、ディレイタイムＤＴ、つまり上記パルス幅・高さデータを決定するためのコンバートテーブル１０１、１０２、１０３、１０４を示す。このコンバートテーブル１０１、１０２、１０３、１０４は、上記駆動ドライバ７４の中、またはプログラム／データ記憶部７６の中などに設けられている。
【０１２２】
図１４は絶対音量データＶＸからアタックレベルＡＬを求めるコンバートテーブル１０１を示す。絶対音量データＶＸは上記音量ボリューム６１などによって入力された音量データと上記演奏情報の中のタッチ情報（ベロシティなど）とを乗算したものである。アタックレベルＡＬは絶対音量データＶＸにほぼ比例するが、絶対音量データＶＸが小さい部分では比例割合が大きく、絶対音量データＶＸが大きくなるに従ってアタックレベルＡＬが急激に大きくなり、絶対音量データＶＸが大きい部分では、絶対音量データＶＸが大きくなるに従ってアタックレベルＡＬが緩やかに大きくなる。
【０１２３】
このような絶対音量データＶＸから変換されたアタックレベルＡＬは、上記図１２の鍵駆動制御装置５３の回路のパルス幅高さレジスタ９８にストアされ、ワンパルス信号の高さが決定される。これにより、ソレノイド２６…駆動信号のアタックレベルＡＬは、音量ボリューム６１などの音量データまたは演奏情報の中のタッチ情報に応じて変更制御される。
【０１２４】
図１５は絶対音量データＶＸからアタックタイムＡＴを求めるコンバートテーブル１０２を示す。アタックタイムＡＴは絶対音量データＶＸにほぼ比例するが、絶対音量データＶＸが大きくなるに従って比例割合が徐々に大きくなっていく。このような絶対音量データＶＸから変換されたアタックタイムＡＴは、上記図１２の鍵駆動制御装置５３の回路のパルス幅高さレジスタ９８にストアされ、ワンパルス信号の幅が決定される。これにより、ソレノイド２６…駆動信号のアタックタイムＡＴは、音量ボリューム６１などの音量データまたは演奏情報の中のタッチ情報に応じて変更制御される。
【０１２５】
図１６はキーナンバ（音高）からサスティーンレベルＳＬを求めるコンバートテーブル１０３を示す。サスティーンレベルＳＬは多少の凹凸があるものの、キーナンバ（音高）が大きくなるにしたがって、徐々に小さくなる。これは、高音になるほど、鍵７、鍵盤機構１または／及びアクション機構２の重さが徐々に軽くなるためである。このようなキーナンバ（音高）から変換されたサスティーンレベルＳＬは、上記図１２の鍵駆動制御装置５３の回路のパルス幅高さレジスタ９８にストアされ、ワンパルス信号の高さが決定される。これにより、ソレノイド２６…駆動信号のサスティーンレベルＳＬは、キーナンバ（音高）に応じて変更制御される。
【０１２６】
図１７は絶対音量データＶＸからディレイタイムＤＴを求めるコンバートテーブル１０４を示す。ディレイタイムＤＴは絶対音量データＶＸにほぼ比例するが、絶対音量データＶＸが大きくなるに従って比例割合が徐々に小さくなっていく。このような絶対音量データＶＸから変換されたディレイタイムＤＴは、上記図１２の鍵駆動制御装置５３の回路のディレイレジスタ９７、１１７にストアされ、ワンパルス信号の遅延時間が決定される。これにより、ソレノイド２６…駆動信号のディレイタイムＤＴは、音量ボリューム６１などの音量データまたは演奏情報の中のタッチ情報に応じて変更制御される。
【０１２７】
このように絶対音量データＶＸには上記演奏情報の中のタッチ情報（ベロシティ）の因子が含まれているので、タッチ情報が変更されると、ソレノイド２６…の駆動信号（ワンパルス）のディレイタイムＤＴが変更され、タッチ情報が大きくなるほどディレイタイムＤＴが大きくなる。これにより、タッチが小さくなるほど、発音開始操作／打鍵／キーオンから打弦／発音までの時間、消音開始操作／キーオフ／離鍵から止弦／消音までの時間が長くなるのが、補正されて矯正され、これらの時間が音量データにかかわらずほぼ一定とされ、打弦タイミング／発音タイミング／止弦タイミング／消音タイミングがそろえられる。
【０１２８】
また絶対音量データＶＸには音量ボリューム６１（スイッチ６６、６７）の音量データの因子が含まれているので、音量ボリューム６１の音量データが変更されると、ソレノイド２６…の駆動信号（ワンパルス）のディレイタイムＤＴが変更され、音量データが大きくなるほどディレイタイムＤＴが大きくなる。これにより、音量が小さくなるほど、発音開始操作／打鍵／キーオンから打弦／発音までの時間、消音開始操作／キーオフ／離鍵から止弦／消音までの時間が長くなるのが、補正されて矯正され、これらの時間が音量データにかかわらずほぼ一定とされ、打弦タイミング／発音タイミング／止弦タイミング／消音タイミングがそろえられる。
【０１２９】
以上のように、音量ボリューム６１によって、電子ピアノモードのときの音量と生ピアノモードのときの音量以外に、ソレノイド２６…の駆動信号（ワンパルス）のディレイタイムＤＴも変更することができ、１つの操作子で二種類の音量とディレイ量とを変更制御できる。また音量の制御変化に応じて、ソレノイド２６…の駆動信号（ワンパルス）のディレイタイムＤＴも変更されることができることにもなる。
【０１３０】
（１０）楽音制御処理（第二実施例）
図１８は上記コントローラ（ＣＰＵ）７２によって実行される楽音制御処理のフローチャートの第二実施例を示す。この楽音制御処理は、本楽音制御装置の電源オンによって開始され、電源オフまで繰り返し実行される。まず、プログラム／データ記憶部７６の初期化など種々のイニシャライズ処理が行われる（ステップ３１）。
【０１３１】
次いで、上記ステップ０３と同様に、音量ボリューム６１若しくはインクリメントスイッチ６６またはデクリメントスイッチ６７が操作されると（ステップ３２）、新音量データが鍵駆動制御装置５３、トーンジェネレータ８０及びプログラム／データ記憶部７６に書込まれ、音量が変更される（ステップ３３）。
【０１３２】
そして、自動演奏の電子ピアノモードのとき（ステップ３４）、上記ステップ３３で書き込まれた音量データが取り込まれ（ステップ３５）、上記ステップ０７と同じ電子ピアノモード処理がなされる（ステップ３６）。これにより、上記ステップ３３で設定された音量データで電子音が発音される。また、自動演奏の生ピアノモードのとき（ステップ３７）、上記ステップ３３で書き込まれた音量データが取り込まれ（ステップ３８）、上記ステップ１７と同じ生ピアノモード処理がなされる（ステップ３９）。これにより、上記ステップ３３で設定された音量データで弦音が発音される。
【０１３３】
これにより、１つの音量ボリューム６１で、電子ピアノモードの電子音と生ピアノモードの弦音との音量をそれぞれ切り換えることができる。この後その他の処理が実行されて（ステップ４１）、処理は上記ステップ３２に戻る。上記電子ピアノモードと生ピアノモードとの切り換えは、上述の止音ペダル４７によって行われる。
【０１３４】
上記ステップ３４〜３６の電子ピアノモードにおいては、自動演奏ではなく、手動で鍵７…がオン／オフ操作されて、トーンジェネレータ８０及びサウンドシステム７９を通じて電子音が発音／消音されてもよい。この手動演奏（消音ピアノ）のときでも、音量データが取り込まれ（ステップ３５）、音量制御が実行される。この手動演奏（消音ピアノ）と上記電子ピアノモードと生ピアノモードとの切り換えは、音量ボリューム６１（スイッチ６６、６７）に近傍に設けられた、別のモード切換えスイッチ（図示せず）によって行われる。
【０１３５】
上述の図１８のステップ３６及び上記図１０のステップ０７における、上記演奏情報に基づく電子ピアノモード処理における電気振動のキーオン／キーオフのタイミングに対しては、一定のディレイタイムデータが付加されて遅延される。この一定のディレイタイムデータは、図１７のディレイタイムＤＴの中で一番大きい値、もっとも高音の値またはもっとも操作量の軽い鍵の値に設定される。
【０１３６】
この場合、上記ディレイタイムデータは各演奏情報の中の各楽音情報（ノートデータ）の中のキーオンタイミングを示すステップタイムデータに対して一律に加算されていく。そして、キーオフタイミングを示すゲートタイムデータがキーオンタイミングからの音楽的時間を示すものであれば、ゲートタイムデータにはこのディレイタイムデータは加算されない。このゲートタイムデータが小節の先頭からの音楽的時間を示すものであれば、ゲートタイムデータにこのディレイタイムデータが加算される。
【０１３７】
また、上記ステップタイムデータは小節の先頭からの音楽的時間を示すものであれば、ステップタイムデータにこのディレイタイムデータが加算される。しかし、ステップタイムデータが直前の楽音のキーオン、またはキーオフからの音楽的時間を示すものであれば、曲の先頭の楽音のステップタイムデータにのみこのディレイタイムデータが加算される。このような処理は、上記ステップ０７及びステップ３６の電子ピアノモードで実行される。
【０１３８】
これにより、ソレノイド２６…による発音／消音のタイミングに対して、トーンジェネレータ８０及びサウンドシステム７９による電気振動の発音／消音のタイミングも一致させて、タイミングをほぼ一定にすることができる。したがって、生ピアノの発音（図１０のステップ０７、図１８のステップ３９）と電子ピアノの発音（図１０のステップ１７、図１８のステップ３６）とで切り換えられるとき、発音／消音のタイミングが変わってしまうことがなくなり、ソノレノイド２６…の発音／消音とトーンジェネレータ８０の発音／消音とで同じタイミングで制御操作及び切り換え操作ができる。
【０１３９】
以上のことは、複数の本楽音装置による合奏であって、電子ピアノモードにある装置と生ピアノモードにある装置との合奏でも同様である。また、本楽音装置と電子ピアノモードと同じ形態の楽音装置との合奏や、電子ピアノモードにある装置と生ピアノモードにある装置との合奏でも同様である。また、本楽音装置と生ピアノモードと同じ形態の楽音装置との合奏でも同様である。このような発音／消音のタイミングの整合は、ＭＩＤＩの各チャンネルごとに実行されてもよい。さらにまた、生ピアノモードにある装置と電子楽器音（伴奏）（ベース、ドラム、シンバルなど）の合奏でも発音／消音タイミングを合わせて演奏することができる。
【０１４０】
（１１）音量ボリューム６１の入力特性（第二実施例）
図１９は音量ボリューム６１の入力特性Ａおよび入力特性Ｅを示す。この入力特性Ａ及びＥのデータはコンバーターとして、上記プログラム／データ記憶部７６の中に構成されていたり、または駆動ドライバ７４の中に構成されたりして、音量ボリューム６１から入力された音量データがこの入力特性ＡまたはＥに沿って変換される。
【０１４１】
上記ステップ３４の電子ピアノモードでの音量データの書き込みでは、図１９のＥの特性が選択される。この特性Ｅでは入力音量データがほぼ正比例の関係で変換されて変換音量データが上記ステップ３４の新音量データとして出力され書き込まれる。
【０１４２】
また、上記ステップ３９の生ピアノモードでの音量データの書き込みでは、図１９のＡの特性が選択される。この特性Ａでは入力音量データがほぼ正比例の関係で変換されて変換音量データが出力されるが、入力音量データが所定値Ｉａ以下になると、この正比例関係ではなくなり、入力音量データがどんな値になっても、出力される変換音量データはほぼ一定値となって飽和し一定の特定値Ｏａが出力され続ける。
【０１４３】
音量データが、この一定の特定値Ｏａより小さくなると、ソレノイド２６…に送り込まれる励起信号の大きさが小さくなって、一部または全部の弦１４…で音が出なくなる。したがって、音量ボリューム６１を回して操作して、音量データが小さくなっても、生ピアノモードにおいて弦１４…が打たれず音が出ないまたは抜けることがなくなる。
【０１４４】
この場合、入力所定値Ｉａ以下または出力特定値Ｏａ以下にならないように、音量ボリューム６１の回転量が規制されてもよい。しかし、電子ピアノモードでは入力所定値Ｉａ以下または出力特定値Ｏａ以下でも、発音が可能であるため、入力所定値Ｉａ以下または出力特定値Ｏａ以下にできるように、音量ボリューム６１の回転量が許容されたほうがよい。
【０１４５】
これにより、１つの音量ボリューム６１によって、電気振動の音量大きさも、ソレノイド２６…の駆動量及び弦１４…の打弦量／発音量の音量大きさも変更制御できる。しかも、入力所定値Ｉａ以上または出力特定値Ｏａ以上の正比例特性において、電子ピアノモードにおける音量と生ピアノモードにおける音量とはほぼ同じ特性にされている。
【０１４６】
このほぼ同じ特性とは、電子ピアノモードでも生ピアノモードでも、…、ピアニッシモ、ピアノ、メゾピアノ、スタンダード、メゾフォルテ、フォルテ、フォルテッシモ、…において同じ音量となる特性である。例えば、音量ボリューム６１の操作位置が、生ピアノモードでピアニッシモの音量であれば、この操作位置は、電子ピアノモードに切り替えられても全く同じピアニッシモの音量となる。
【０１４７】
音量ボリューム６１の操作位置が、生ピアノモードでピアノの音量であれば、この操作位置は、電子ピアノモードに切り替えられても全く同じピアノの音量となる。音量ボリューム６１の操作位置が、生ピアノモードでメゾピアノの音量であれば、この操作位置は、電子ピアノモードに切り替えられても全く同じメゾピアノの音量となる。音量ボリューム６１の操作位置が、生ピアノモードでフォルッテシモの音量であれば、この操作位置は、電子ピアノモードに切り替えられても全く同じフォルッテシモの音量となる。
【０１４８】
他の操作位置及び音量に応じても同様である。このような、音量ボリューム６１における電子ピアノモードでも生ピアノモードでもほぼ同じ音量となる設定は、例えば以下のように行われる。まず、生ピアノモードにおいて、実際に出力される音量の大きさを計測する。次いで、音量ボリューム６１の操作位置を変えないで、サウンドシステム７９（加振体５６）から同じ音量が出るまで、トーンジェネレータ８０またはサウンドシステム７９内のレベル調整回路／音量回路／アンプなどを調整する。
【０１４９】
以上の調整は、スタンダードの音量で実行されるが、音量ボリューム６１を回転操作して、上記ピアニッシモからフォルテッシモまで複数段階で実行し、これらの平均をとって、トーンジェネレータ８０またはサウンドシステム７９内のレベル調整回路／音量回路／アンプなどを調整してもよい。
【０１５０】
これにより、音量ボリューム６１を操作しなくて、電子ピアノモードと生ピアノモードとで切り換えたとき、音量が変わってしまうことがなくなり、電子ピアノモードと生ピアノモードとで同じ音量特性で制御操作及び切り換え操作ができる。
【０１５１】
以上のように音量ボリューム６１の同じ操作状態において、ソレノイド２６…による発音量と、トーンジェネレータ８０及び／またはサウンドシステム７９による発音量とが同じ音量となる制御特性となっている。この音量制御の操作によって、入力音量データが所定量Ｉａより小さくされたら、上記ソレノイド２６…の駆動量または弦１４…の発音量は出力特定値Ｏａより小さくされず、上記トーンジェネレータ８０及び／またはサウンドシステム７９の発音量は当該出力特定値Ｏａより小さくされる。
【０１５２】
なお、このような入力特性Ａ及びＥのデータは、情報記憶部７７などに記憶されてもよい。また、このような入力特性Ａ及びＥのデータは、プログラム／データ記憶部７６または情報記憶部７７などに演算式として記憶され、この演算式に基づいて、音量ボリューム６１から入力された音量データが変換されてもよい。
【０１５３】
また、図１９の入力所定値Ｉａ及び出力特定値Ｏａ以上の正比例特性部分は正比例に限らず、ｎ乗（ｎ＝１／２、１／３、１／４、…、０．７、０．８、０．９、…、１．１、１．２、１．３、…、２、３、４、…）に比例する関係でもよいし、一部飽和する特性があってもよく、ソレノイド２６…による発音量と、トーンジェネレータ８０及び／またはサウンドシステム７９による発音量とが同じ音量となる制御特性であればよい。
【０１５４】
上述のように図１９の入力特性Ａ及びＥは、入力所定値Ｉａ以上、または出力特定値Ｏａ以上では、一致している。しかし、入力特性Ａと入力特性Ｅとは、異なっていてもよい。このような入力特性Ａ及びＥは、入力される電気信号は入力所定値Ｉａ以下まで変化するが、出力されるソレノイド２６…の駆動信号は出力特定値Ｏａ以下にはならないというものである。
【０１５５】
さらに、図１９の入力所定値Ｉａ及び出力特定値Ｏａ以下の飽和特性部分は、一定値特性ではなく、緩やかに変化する特性、例えば入力音量データが増加するに従って、出力音量データがわずかに正比例でまたは上記ｎ乗（ｎ＝１／２、１／３、１／４、…、０．７、０．８、０．９、…、１．１、１．２、１．３、…、２、３、４、…）で増加する特性などであってもよい。いずれにせよ、入力音量データが所定量Ｉａより小さくされたら、上記ソレノイド２６…の駆動量または弦１４…の発音量は出力特定値Ｏａより小さくされなければよい。
【０１５６】
また、上記電子ピアノモードにおける音量と生ピアノモードにおける音量とは同じ特性にされるのではなく、一部または全部異なる特性であってもよい。これにより、電子ピアノモードにあった最適な音量特性と、生ピアノモードにあった最適な音量特性との両方を選択できる。
【０１５７】
この第二実施例の他の構成、作用、効果は、上記第一実施例と同じであり、これらの説明は本実施例でも記載されているものとするし、本実施例の記載内容も上記第一実施例にも記載されているものとする。第二実施例で記載されていないことは、この他の実施例が参照されるし、第一実施例で記載されていないことは、当該第一実施例以外の実施例が参照される。
【０１５８】
（１２）他の実施の形態
本件発明は上記実施例に限定されず、本件発明の趣旨を逸脱しない範囲で種々変更可能である。例えば、上記楽音制御処理は、演奏情報に基づいてピアノ内のソレノイド２６…が駆動されて自動演奏されるときに行なわれるが、これ以外のときに実行されてもよい。例えば、上記止音手動演奏モード処理に行なわれてもよい。
【０１５９】
止音手動演奏モード処理と通常手動演奏モード処理とを切換える手段は、上記止音ペダル４７のほか、レバー、ホイール、ダイヤル、ハンドル、スイッチであってもよい。スイッチにおいては、上記モーター４４、５１が正回転／逆回転される。上記止音ペダル４７は、ダンパーペダル、サスティンペダル、ミュートペダル、ソフトペダル等と兼用されてもよい。
【０１６０】
弦１４…の発音が禁止されるときには、上記ソレノイド２６…は、鍵盤機構１…、アクション機構２…、タッチ検出機構３０…、ハンマーヘッド１３などの一部または全部はオン／オフ駆動されなくてもよい。この場合、上記ステップ０７においてソレノイド２６…に駆動信号が送られなくなるか、または、ハンマーストップレール４１と同じストップレールが鍵盤機構１…またはアクション機構２…の中などに設けられ、これらのオン駆動／オフ駆動が禁止される。
【０１６１】
上記図１４〜図１７のコンバートテーブル１０１、１０２、１０３、１０４のアタックレベルＡＬ、アタックタイムＡＴ、サスティーンレベルＳＬ、ディレイタイムＤＴの特性は、これらのものに限られず、上述のものと逆の特性であってもよいし、上述のものと異なる特性であってもよい。図１３のソレノイド２６…の駆動信号の形状は上記のものに限られず、多数の階段状の形状、三角形波、鋸波など、どのような形状であってもよい。
【０１６２】
図１２のソレノイド２６…を駆動する鍵駆動制御装置５３は、図１２に限られず、ソレノイド２６…を駆動できれば、どのような回路であってもよい。図１８の処理ではステップ３３の新音量データの書き込みは省略され、ステップ３５、３８で直接、新音量データの書き込み及び取り込みが行われてもよい。ステップ３５、３８の新音量データの書き込みまたは取り込みは、ステップ３６、３９の電子ピアノモード処理、生ピアノモード処理の後に実行されてもよい。
【０１６３】
図１０のステップ０３の後にステップ３３と同じ新音量データ書き込みがなされてもよいし、図１０のステップ０７、１７の前に、ステップ０８、１８の新音量データの書き込み及び取り込みが行われてもよい。
【０１６４】
本発明の楽音制御装置は、アップライトピアノのほか、グランドピアノ、オルガン、電子ピアノ、電子オルガン、チェンバロなどの鍵盤楽器でも適用される。上記鍵７…は、電子弦楽器の弦、電子吹奏（管）楽器の管、電子打楽器（パッド等）の打、コンピュータのキーボードで代用されてもよい。
【０１６５】
本発明は電子楽器またはコンピュータなどにおいて実施され得る。上記各図の回路の機能はソフトウエア（フローチャート）によって実施されても良いし、上記各図のフローチャートの機能はハードウエア（回路）によって実施されてもよい。各請求項記載の発明は、当該発明をコンピュータに実行させるコンピュータプログラムを記憶した媒体、コンピュータプログラムの通信装置（方法）、楽音発生装置（方法）、楽音制御装置（方法）としても実現可能である。
【０１６６】
音量ボリューム６１、インクリメントスイッチ６６、デクリメントスイッチ６７は、テンキーによる入力、スライドスイッチ、ベンダー、表示画面に表示されてマウスなどで操作されるスライドスイッチのアイコン、インクリメントスイッチのアイコン、デクリメントスイッチのアイコンなど、音量データを変更できればどのようなスタイルでもよい。
【０１６７】
上記ソレノイド２６…は、鍵７…の奥下のほか、手前下など、鍵盤機構１…をオン／オフ駆動して弦１４…を発音できれば、鍵盤機構１…のどの位置に設けられてもよいし、ハンマーシャンク１２、バックストップ２３など、アクション機構２…をオン／オフ駆動して弦１４…を発音できれば、アクション機構２…のどの位置に設けられてもよい。
【０１６８】
ソレノイド２６…は、リニアモーター、モーターとピニオンとラックなど、鍵７…の駆動及び弦１４…の発音をできればどのような機構でもよい。音量ボリューム６１、インクリメントスイッチ６６、デクリメントスイッチ６７で制御される音量は、ソレノイド２６…の全部のほか、ソレノイド２６…の一部であってもよい。この場合、ソレノイド２６…が上鍵盤、下鍵盤、足鍵盤などに分けられ、この鍵盤ごとに音量制御がなされる。
【０１６９】
光シャッター３１及びフォトカプラ３２からなるタッチ検出機構３０は、ハンマーシャンク１２、ハンマーヘッド１３、ウィッペン８などのアクション機構３０、鍵７の奥または手前の下面または上面などの鍵盤機構１などに設けられてもよい。
【０１７０】
タッチ検出機構３０は、光センサー／位置センサーによるもののほか、圧電素子などの圧力センサー、差動トランス、差動キャパシタなどの変位センサー、ホール素子などの磁気変化センサー、加速度センサー、速度センサーなどによってもよい。
【０１７１】
ハンマーストップレール４１、電動レバー４２、手動レバー４６、モーター５１などの止音機構（禁止機構）４０は、バックストップ２３、ハンマーヘッド１３、ウィッペン８などのアクション機構３０、鍵７の奥または手前の下面または上面などの鍵盤機構１などに設けられてもよい。
【０１７２】
手動レバー４６、ワイヤー４８、コイルバネ４９、５９、止音検出スイッチ５０などは、止音ペダル（禁止手動機構）４７に設けられるほか、ダンパーペダル、サスティンペダル、ミュートペダル、ソフトペダル、レバー、ホイール、ダイヤル、ハンドル、スイッチに設けられてもよい。
【０１７３】
上記ステップ０７での、加振体（電磁変換手段）５６への電気振動（電気波形信号）の遅れる所定時間、つまり遅延時間は、上記鍵盤機構１の鍵７…操作から弦１４…発音までの時間に応じているが、場合によって、この時間より短くても長くても良い。この場合この時間を調整する調整手段が操作パネル５４に設けられてもよい。
【０１７４】
図９の全体回路７０、図１及び図２の楽音制御装置の一部は省略されてもよく、例えば止音検出スイッチ５０、ペダルセンサ、スイッチスキャン回路７１、表示ドライバ７５、モードＬＥＤ６３、インジケータ６８…、６９…、ペダルソレノイド５８、ミディ回路７８、タッチ検出機構３０、タッチスキャン回路７３、光シャッター３１、フォトカプラ３２などが省略されても良いし、手動レバー４６、止音ペダル（禁止機構）４７、ワイヤー４８、コイルバネ４９、５９、止音検出スイッチ５０、止音機構（禁止機構）４０、ハンマーストップレール４１、電動レバー４２、ギア歯４３、モーター４４、５１、リンク５２、ウォ−ムギア４５などの一部または全部が省略されてもよい。
【０１７５】
（１３）他の発明の効果
［１］演奏情報に基づいて、複数の鍵盤機構または複数のアクション機構のいずれかを選択してオン／オフ駆動し、複数の弦のいずれかを発音させる複数の駆動手段と、  上記演奏情報に基づいて、電気振動（電気波形信号）を機械振動／空気振動（音響波形）に変換して放音する音響変換手段と、を備え、  上記複数の駆動手段にわたって一律に発音量を制御し、  この制御によって、上記発音量が所定量より小さくされたら、上記駆動手段の駆動の強さが所定量より弱くされたら、または上記駆動手段の駆動の速さが所定量より遅くされたら、上記弦の発音を禁止して、上記音響変換手段を駆動し、これ以外のときには、上記音響変換手段の駆動を停止して、上記弦の発音を許容することを特徴とする楽音制御方法。
【０１７６】
［２］演奏情報に基づいて、複数の鍵盤機構または複数のアクション機構のいずれかを選択してオン／オフ駆動し、複数の弦のいずれかを発音させる複数の駆動手段と、  上記演奏情報に基づいて、電気振動（電気波形信号）を機械振動／空気振動（音響波形）に変換して放音する音響変換手段と、  上記複数の駆動手段にわたって一律に発音量を制御する制御手段と、  この制御手段の制御によって、上記発音量が所定量より小さくされたら、上記駆動手段の駆動の強さが所定量より弱くされたら、または上記駆動手段の駆動の速さが所定量より遅くされたら、上記弦の発音を禁止して、上記音響変換手段を駆動し、これ以外のときには、上記音響変換手段の駆動を停止して、上記弦の発音を許容する第一の切換え手段とを備えたことを特徴とする楽音制御装置。
【０１７７】
［３］演奏情報に基づいて、複数の鍵盤機構または複数のアクション機構のいずれかを選択してオン／オフ駆動し、複数の弦のいずれかを発音させる複数の駆動手段と、  上記演奏情報に基づいて、電気振動（電気波形信号）を機械振動／空気振動（音響波形）に変換して放音する音響変換手段と、を備え、  上記複数の駆動手段にわたって、及び上記音響変換手段において、一律に発音量を制御し、この制御は、同じ操作状態において、駆動手段による発音量と、音響変換手段による発音量とがほぼ同じ音量となる制御特性であり、  この制御の操作によって、発音量が所定量より小さくされたら、上記駆動手段の駆動量または発音量を特定値より小さくせず、上記音響変換手段の発音量は当該特定値より小さくすることを特徴とする楽音制御方法。これにより、制御手段を操作しなくて、駆動手段の発音と音響変換手段の発音とで切り換えたとき、音量が変わってしまうことがなくなり、駆動手段の発音と音響変換手段の発音とで同じ音量特性で制御操作及び切り換え操作ができる。
【０１７８】
［４］演奏情報に基づいて、複数の鍵盤機構または複数のアクション機構のいずれかを選択してオン／オフ駆動し、複数の弦のいずれかを発音させる複数の駆動手段と、  上記演奏情報に基づいて、電気振動（電気波形信号）を機械振動／空気振動（音響波形）に変換して放音する音響変換手段と、  上記複数の駆動手段にわたって、及び上記音響変換手段において、一律に発音量を制御する制御手段であって、この制御手段は、同じ操作状態において、駆動手段による発音量と、音響変換手段による発音量とがほぼ同じ音量となる制御特性であり、  この制御手段の操作によって、上記発音量が所定量より小さくされたら、上記駆動手段の駆動量または発音量を特定値より小さくせず、上記音響変換手段の発音量は当該特定値より小さくすることを特徴とする楽音制御装置。これにより、制御手段を操作しなくて、駆動手段の発音と音響変換手段の発音とで切り換えたとき、音量が変わってしまうことがなくなり、駆動手段の発音と音響変換手段の発音とで同じ音量特性で制御操作及び切り換え操作ができる。
【０１７９】
［５］上記演奏情報は、少なくとも楽音の音高情報と発音開始情報及び発音終了情報とからなり、この音高情報に応じた弦の鍵盤機構またはアクション機構を、この上記発音開始情報に応じたタイミングでオン駆動し、この発音終了情報に応じたタイミングでオフ駆動することを特徴とする請求項２または４記載の楽音制御装置。これにより、演奏情報に基づいて弦発音が可能となる。
【０１８０】
［６］  上記演奏情報は、少なくとも楽音の音高情報と発音開始情報及び発音終了情報とからなり、上記電気振動は、所定の音色情報に応じた波形であるとともに、上記音高情報に応じた周期であり、当該電気振動を、上記発音開始情報に応じたタイミングで開始し、上記発音終了情報に応じたタイミングで終了することを特徴とする請求項５記載の楽音制御装置。これにより、演奏情報に基づいて音響変換手段による発音が可能となるし、演奏情報に基づいて弦発音も音響変換手段による発音も可能となるし、同じ演奏情報に基づいて弦発音と音響変換手段による発音とが容易に切換えられる。
【０１８１】
［７］上記音響変換手段は、スピーカー、または上記電気振動を機械的変化に変換して、接触する響板を振動させて同響板より音を放射する加振体であることを特徴とする請求項２、４、５または６記載の楽音制御装置。これにより、弦発音に代わる音響変換手段を状況に応じて種々選択できる。
【０１８２】
［８］上記複数の鍵盤機構または複数のアクション機構において、鍵操作の強さまたは速さを検出するタッチ検出手段と、  このタッチ検出手段での検出結果に基づいて、上記電気振動の振幅の大きさまたは高調波成分の含有量を制御するタッチ制御手段とを備えたことを特徴とする請求項２、４、５、６または７記載の楽音制御装置。これにより、鍵操作に応じて音響変換手段による発音が可能となり、しかも鍵タッチが音響変換手段による発音に反映される。
【０１８３】
［９］鍵操作を許容するとともに上記複数の鍵盤機構または上記複数のアクション機構が上記弦の発音を一律に禁止する禁止機構と、  上記第一の切換え手段の切換えによる弦の発音が禁止されるときに、当該第一の切換え手段とこの禁止機構とが連動作動されるように、上記弦の発音を一律に禁止する禁止連動手段をさらに備えたことを特徴とする請求項２、４、５、６、７または８記載の楽音制御装置。これにより、駆動手段の駆動が停止されるとき、弦の発音が連動して禁止され、二重に発音が禁止される。
【０１８４】
［１０］  上記禁止機構を手動でも作動させる禁止手動機構と、  この禁止手動機構が作動されて、上記弦の発音が一律に禁止されたときも、上記音響変換手段を駆動する第二の切換え手段とをさらに備えたことを特徴とする請求項９記載の楽音制御装置。これにより、手動でも弦発音と音響変換手段による発音とが切換えられる。また、手動の鍵操作によって弦発音を行なわず電子発音を行なう消音ピアノと、本発明の楽音制御装置とを兼用できる。
【０１８５】
［１１］上記第一の切換え手段の切換え状態を表示する表示手段であって、上記弦の発音が禁止されて、上記音響変換手段が駆動されるときの表示状態と、これ以外のときの、上記音響変換手段の駆動が停止されて、上記弦の発音が許容されるときの表示状態とを切換えて表示する表示手段をさらに備えたことを特徴とする請求項２、４、５、６、７、８、９または１０記載の楽音制御装置。これにより、駆動手段が駆動可能なときと、音響変換手段が駆動可能なときとが、視覚的に即座に識別され得る。
【０１８６】
［１２］上記電気振動は、上記演奏情報の上記発音開始情報に応じたタイミングより所定の時間遅れて開始し、上記発音終了情報に応じたタイミングより所定の時間遅れて終了し、この遅れる所定時間は、上記鍵盤機構の鍵操作から上記弦発音までの時間に応じていることを特徴とする請求項２、４、５、６、７、８、９、１０または１１記載の楽音制御装置。これにより、弦発音タイミング／消音タイミングと音響変換手段による発音タイミング／消音タイミングとにズレがなくなり、上記発音量制御によって、弦発音するときと音響変換手段を駆動するときとが切り替わるときに、発音タイミング／消音タイミングにズレがなくなる。
【０１８７】
［１３］上記駆動手段の駆動は、上記演奏情報の上記発音開始情報に応じたタイミングより所定の時間遅れて開始し、上記発音終了情報に応じたタイミングより所定の時間遅れて終了し、この遅れる所定の時間は、上記複数の駆動手段にわたって一律に発音量を制御する制御手段の制御量に応じて変更され、  または上記演奏情報の中のタッチ情報の大きさに応じて変更されることを特徴とする請求項２、４、５、６、７、８、９、１０、１１または１２記載の楽音制御装置。これにより、発音開始操作（キーオン／打鍵）から打弦／発音、消音開始操作（キーオフ／離鍵）から止弦／消音までの時間は、音量またはタッチの大きさに応じて変化するが、これを補正／矯正して、発音タイミング／消音タイミングをほぼ一定に揃えることができる。
【０１８８】
［１４］上記複数の駆動手段にわたって一律に発音量を制御する制御手段は、上記音響変換手段の電気振動の発音量を変更する、上記駆動手段の駆動量の大きさを変更する、または／及び上記演奏情報の上記発音開始情報に応じたタイミングより遅れる所定の時間の大きさを変更することを特徴とする請求項２、４、５、６、７、８、９、１０、１１、１２または１３記載の楽音制御装置。これにより、１つの制御手段で、音響変換手段の電気振動の発音量の大きさと、駆動手段の駆動量の大きさと、発音開始情報に応じたタイミングより遅れる所定の時間の大きさとの３つの因子を変更制御できる。
【０１８９】
［１５］上記駆動手段の駆動の強さまたは発音量が大きく変更されるときの上記所定量は、小さく変更されるときの上記所定量より大きいことを特徴とする請求項２、４、５、６、７、８、９、１０、１１、１２、１３または１４記載の楽音制御装置。これにより、駆動手段にヒステリシス特性があって、音量データが大きく変更されるときと、小さく変更されるときとで、同じ特性にできる。
【０１９０】
［１６］上記弦の発音が禁止され上記電気振動が放音されるときでも、上記駆動手段は駆動され、上記鍵盤機構またはアクション機構はオン／オフ駆動されることを特徴とする請求項２、４、５、６、７、８、９、１０、１１、１２、１３、１４または１５記載の楽音制御装置。これにより、弦が発音されないときでも、鍵盤機構またはアクション機構はオン／オフ駆動されて、電気振動が放音されるので、鍵盤機構またはアクション機構の駆動によって発音されているように見せることができる。
【０１９１】
［１７］上記弦の発音が禁止されるときには、上記複数の駆動手段にわたって一律に発音量を制御する制御手段によって、上記音響変換手段の電気振動の発音量が変更されて、上記駆動手段の駆動量の大きさは変更されず、  上記弦の発音が許容されるときには、上記複数の駆動手段にわたって一律に発音量を制御する制御手段によって、上記駆動手段の駆動量の大きさが変更されることを特徴とする請求項２、３、４、５、６、７、８、９、１０、１１、１２、１３、１４、１５または１６記載の楽音制御装置。これにより、１つの制御手段によって、音響変換手段の電気振動の発音量と、駆動手段の駆動量の大きさとを、変更制御できる。
【０１９２】
［１８］上記弦の発音を禁止して、上記音響変換手段を駆動する切換えにおいて、切り換えの前後における、上記駆動手段による発音量と、上記音響変換手段による発音量とはほぼ同じ音量となることを特徴とする請求項２、３、４、５、６、７、８、９、１０、１１、１２、１３、１４、１５、１６または１７記載の楽音制御装置。これにより、駆動手段の発音と音響変換手段の発音とで切り換えられるとき、音量が変わってしまうことがなくなり、駆動手段の発音と音響変換手段の発音とで同じ音量特性で制御操作及び切り換え操作ができる。
【０１９３】
［１９］上記音響変換手段によって電気振動に変換される上記演奏情報は、上記駆動手段によって駆動される鍵盤機構またはアクション機構の駆動から検出された情報であることを特徴とする請求項２、３、４、５、６、７、８、９、１０、１１、１２、１３、１４、１５、１６、１７または１８記載の楽音制御装置。これにより、実際の鍵盤機構またはアクション機構の駆動内容に応じた電気振動／電子音を発生できる。
【０１９４】
[２０]上記楽音制御装置は、手動によって鍵盤機構及び複数のアクション機構がオン／オフ駆動され、これにより複数の弦のいずれかが発音される通常手動演奏状態と、これにより電気振動が発生されて音響波形に変換されて放音される状態とが切換えられる止音手動演奏状態とを切換える禁止手動機構を備えたことを特徴とする請求項２、３、４、５、６、７、８、９、１０、１１、１２、１３、１４、１５、１６、１７、１８または１９記載の楽音制御装置。これにより、弦発音と音響変換手段による発音との切換える機構が、通常手動演奏状態と止音手動演奏状態との切換えにも兼用され得る。
【０１９５】
［２１］上記複数の駆動手段にわたって一律に発音量を制御する制御手段は、複数の弦、複数の鍵盤機構、複数のアクション機構、複数の駆動手段にわたって一律に発音量／音量／タッチを制御することを特徴とする請求項２、３、４、５、６、７、８、９、１０、１１、１２、１３、１４、１５、１６、１７、１８、１９または２０記載の楽音制御装置。これでも同様に発音量／音量／タッチを制御できる。
【０１９６】
［２２］上記複数の駆動手段にわたって一律に発音量を制御する制御手段は、上記の同じ演奏情報が上記駆動手段に入力されても、この駆動手段の駆動の強さを強くしたり弱くしたりする、またはこの駆動手段の駆動の速さを速くしたり遅くしたりすることを特徴とする請求項２、３、４、５、６、７、８、９、１０、１１、１２、１３、１４、１５、１６、１７、１８、１９、２０または２１記載の楽音制御装置。これでも同様に発音量／音量／タッチを制御できる。
【産業上の利用可能性】
【０１９７】
ソレノイドの駆動の強さ／速さが所定量より弱くされたら、電気振動が音響変換手段より放音されて、一部の弦では音が出ない等の打弦のアンバランスが解消される。音量データが小さくされ下所定値Ｖｄ未満になると（ステップ０５）、電子ピアノモード処理がなされ（ステップ０７）、駆動ドライバ７４を通じて、モーター４４、５１が正回転／順回転され、ハンマーストップレール４１が前動して、弦発音が禁止され、演奏情報がトーンジェネレータ８０へ送られ、電子発音される。
【０１９８】
音量データが大きくされ上所定値Ｖｕを越えると（ステップ１５）、生ピアノモード処理がなされ（ステップ１７）、駆動ドライバ７４を通じて、モーター４４、５１が逆回転され、ハンマーストップレール４１が後動して、弦発音が許容され、演奏情報がトーンジェネレータ８０へ送られず、電子発音が禁止される。弦発音禁止及び許容いずれのときでも、ソレノイド２６…及び鍵盤機構１…は駆動されている。
【図面の簡単な説明】
【０１９９】
【図１】楽音制御装置／楽音装置／消音ピアノの全体を示す。
【図２】複数の鍵盤機構１…、複数のアクション機構（打鍵機構）２…、ダンパー機構３…及びタッチ検出機構３０…を示す。
【図３】止音機構４０を示す。
【図４】止音機構４０の切換え動作を示す。
【図５】止音機構４０の第二実施例を示す。
【図６】手動の止音機構４０を示す。
【図７】上記操作パネル５４の音量ボリューム６１を示す。
【図８】音量ボリューム６１の第二実施例を示す。
【図９】電子音源装置５５の全体回路７０を示す。
【図１０】コントローラ（ＣＰＵ）７２によって実行される楽音制御処理のフローチャートを示す。
【図１１】コントローラ（ＣＰＵ）７２によって実行される楽音制御処理のフローチャートを示す。
【図１２】鍵駆動制御装置５３及びソレノイド２６の回路構成を示す。
【図１３】ソレノイド２６…の駆動信号を示す。
【図１４】絶対音量データＶＸからアタックレベルＡＬを求めるコンバートテーブル１０１を示す。
【図１５】絶対音量データＶＸからアタックタイムＡＴを求めるコンバートテーブル１０２を示す。
【図１６】キーナンバ（音高）からサスティーンレベルＳＬを求めるコンバートテーブル１０３を示す。
【図１７】絶対音量データＶＸからディレイタイムＤＴを求めるコンバートテーブル１０４を示す。
【図１８】コントローラ（ＣＰＵ）７２によって実行される楽音制御処理のフローチャートの第二実施例を示す。
【図１９】音量ボリューム６１（スイッチ６６、６７）の生ピアノモードにおける入力特性Ａおよび電子ピアノモードにおける入力特性Ｅを示す。
【符号の説明】
【０２００】
１…鍵盤機構、２…アクション機構（打鍵機構）、
３…ダンパー機構、６…筬、７…鍵、８…ウィッペン、
９…センターレール、１０…ジャック、
１１…ハンマーバット、１２…ハンマーシャンク、
１３…ハンマーヘッド、１４…弦、
１５…ハンマーレール、２１…ダンパーレバー、
２２…ダンパーヘッド、２３…バックストップ、
２６…ソレノイド（駆動手段）、３０…タッチ検出機構、
３１…光シャッター、３２…フォトカプラ、
４０…止音機構（禁止機構）、４１…ハンマーストップレール、
４２…電動レバー、４３…ギア歯、
４４…モーター、４５…ウォ−ムギア、
４６…手動レバー、４７…止音ペダル（禁止手動機構）、
４８…ワイヤー、４９…コイルバネ、
５０…止音検出スイッチ、５１…モーター、
５２…リンク、５３…鍵駆動制御装置、
５４…操作パネル、５５…電子音源装置、
５６…加振体（音響変換手段）、５７…ペダル駆動制御装置、
５８…ペダルソレノイド、５９…コイルバネ、
６１…音量ボリューム、６２…チェンジマーク、
６３…モードＬＥＤ、６６…インクリメントスイッチ、
６７…デクリメントスイッチ、６８、６９…インジケータ、
７１…スイッチスキャン回路、７２…コントローラ（ＣＰＵ）、
７３…タッチスキャン回路、７４…駆動ドライバ、
７５…表示ドライバ、７６…プログラム／データ記憶部、
７７…情報記憶部、７８…ミディ回路、
７９…サウンドシステム、８０…トーンジェネレータ、
９１…ダイオード、９２…抵抗、９３…定電圧源、
９４…トランジスタ、９５、１１５…ディレイ回路、
９６、１１６…ワンパルス発生回路（プログラマブル）、
９７、１１７…ディレイレジスタ、９８、１１８…パルス幅高さレジスタ、
１０１、１０２、１０３、１０４…コンバートテーブル。
【図１】
0005657868.tif 000002
【図２】
0005657868.tif 000003
【図３】
0005657868.tif 000004
【図４】
0005657868.tif 000005
【図５】
0005657868.tif 000006
【図６】
0005657868.tif 000007
【図７】
0005657868.tif 000008
【図８】
0005657868.tif 000009
【図９】
0005657868.tif 000010
【図１０】
0005657868.tif 000011
【図１１】
0005657868.tif 000012
【図１２】
0005657868.tif 000013
【図１３】
0005657868.tif 000014
【図１４】
0005657868.tif 000015
【図１５】
0005657868.tif 000016
【図１６】
0005657868.tif 000017
【図１７】
0005657868.tif 000018
【図１８】
0005657868.tif 000019
【図１９】
0005657868.tif 000020